(57)【要約】【課題】建物の外であっても、ユーザが望む最新の情報だけを紙媒体で販売することの可能な情報販売装置等を提供する。【解決手段】情報販売装置４は、この情報販売装置４が設置されている地域が予め記憶された地域データベース５２と、記事情報配信サーバ２から、複数の記事情報をその記事の見出しとともに受信する記事情報受信部４１と、複数のデジタル掲示板１１（１１ａ，１１ｂ，１１ｃ）のそれぞれにおいて、記事情報受信部４１が受信した複数の見出しのうち、地域データベース５２に記憶された地域に関連した見出しを表示する見出し表示部４３と、複数のデジタル掲示板１１のそれぞれに設けられた記事情報選択ボタン１２ａ，１２ｂ，１２ｃの操作を受け付ける記事情報選択部４４と、対価受付部４５が対価投入口１４への対価の投入を受け付けた場合に、記事情報選択部４４が受け付けた記事情報を紙に印刷する印刷部４６とを備える。【選択図】図２
2011209790.tif 000002
【特許請求の範囲】
【請求項１】
サーバからネットワークを介して受信した情報を販売する情報販売装置であって、
該情報販売装置が設置されている地域が予め記憶された地域記憶手段と、
前記サーバから、記事に関する複数の記事情報をその記事の見出しとともに受信する記事情報受信手段と、
前記記事情報受信手段が受信した記事情報を記憶する記事情報記憶手段と、
複数のデジタル掲示板により構成され、それぞれのデジタル掲示板において、前記記事情報受信手段が受信した複数の記事情報の見出しのうち、前記地域記憶手段に記憶された地域に関連した記事情報の見出しを表示する見出し表示手段と、
前記複数のデジタル掲示板のそれぞれに設けられ、前記複数の記事情報の中から記事情報の選択を受け付ける記事情報選択手段と、
前記記事情報選択手段が選択を受け付けた記事情報に対する対価の投入を受け付ける対価受付手段と、
前記対価受付手段が前記対価の投入を受け付けた場合に、前記記事情報選択手段が受け付けた記事情報を紙に印刷する印刷手段とを備える情報販売装置。
【請求項２】
請求項１に記載の情報販売装置であって、
前記サーバから、広告に関する広告情報を受信する広告情報受信手段と、
前記広告情報受信手段が受信した広告情報を記憶する広告情報記憶手段とを備え、
前記印刷手段は、前記記事情報選択手段が選択を受け付けた記事情報とともに、前記地域記憶手段に記憶された地域に関連した広告情報を紙に印刷する情報販売装置。
【請求項３】
情報を配信するサーバと、このサーバから配信される情報を販売する情報販売装置とを備えるシステムであって、
前記サーバは、記事に関する複数の記事情報をその記事の見出しとともに配信する記事情報配信手段を備え、
前記情報販売装置は、
該情報販売装置が設置されている地域が予め記憶された地域記憶手段と、
前記記事情報配信手段から配信された複数の記事情報を前記見出しとともに受信する記事情報受信手段と、
前記記事情報受信手段が受信した記事情報を記憶する記事情報記憶手段と、
複数のデジタル掲示板により構成され、それぞれのデジタル掲示板において、前記記事情報受信手段が受信した複数の記事情報の見出しのうち、前記地域記憶手段に記憶された地域に関連した記事情報の見出しを表示する見出し表示手段と、
前記複数のデジタル掲示板のそれぞれに設けられ、前記複数の記事情報の中から記事情報の選択を受け付ける記事情報選択手段と、
前記記事情報選択手段が選択を受け付けた記事情報に対する対価の投入を受け付ける対価受付手段と、
前記対価受付手段が前記対価の投入を受け付けた場合に、前記記事情報選択手段が受け付けた記事情報を紙に印刷する印刷手段とを備えるシステム。
【請求項４】
サーバから配信される情報を情報販売装置が販売する方法であって、
前記情報販売装置は、
該情報販売装置が設置されている地域を予め記憶する地域記憶工程と、
前記サーバから、記事に関する複数の記事情報をその記事の見出しとともに受信する記事情報受信工程と、
前記記事情報受信工程で受信した記事情報を記憶する記事情報記憶工程と、
複数のデジタル掲示板において、前記記事情報受信工程で受信した複数の記事情報の見出しのうち、前記地域記憶工程で記憶した地域に関連した記事情報の見出しを表示する見出し表示工程と、
前記複数の記事情報の中から記事情報の選択を受け付ける記事情報選択工程と、
前記記事情報選択工程で選択を受け付けた記事情報に対する対価の投入を受け付ける対価受付工程と、
前記対価受付工程で前記対価の投入を受け付けた場合に、前記記事情報選択工程で受け付けた記事情報を紙に印刷する印刷工程とを備える方法。
【請求項５】
サーバから配信される情報を販売する処理を情報販売装置に実行させるためのプログラムであって、
前記情報販売装置が設置されている地域を予め記憶する地域記憶工程と、
前記サーバから、記事に関する複数の記事情報をその記事の見出しとともに受信する記事情報受信工程と、
前記記事情報受信工程で受信した記事情報を記憶する記事情報記憶工程と、
複数のデジタル掲示板において、前記記事情報受信工程で受信した複数の記事情報の見出しのうち、前記地域記憶工程で記憶した地域に関連した記事情報の見出しを表示する見出し表示工程と、
前記複数の記事情報の中から記事情報の選択を受け付ける記事情報選択工程と、
前記記事情報選択工程で選択を受け付けた記事情報に対する対価の投入を受け付ける対価受付工程と、
前記対価受付工程で前記対価の投入を受け付けた場合に、前記記事情報選択工程で受け付けた記事情報を紙に印刷する印刷工程とを前記情報販売装置に実行させるためのプログラム。
【発明の詳細な説明】
【技術分野】
【０００１】
本発明は、情報を販売する情報販売装置、システム、方法及びプログラムに関する。
【背景技術】
【０００２】
従来より、インターネットを通じて情報を入手することが頻繁に行われている。近年では、ノートパソコンや携帯端末の普及により、ユーザは、建物の中に限らず、さまざまな場所で情報を入手できる。
【０００３】
しかし、ノートパソコンや携帯端末で情報を入手しても、入手した情報は、画面に表示されるだけである。そのため、表示された情報自体にメモ等を残すことはできず、建物の外であっても、情報を紙媒体で入手できることが好ましい。
【０００４】
このような問題を解決するため、不特定多数の人が使用できる場所に、電子新聞のデータをダウンロードするダウンロード装置と、このダウンロード装置でダウンロードする内容を印刷するプリンタ部とを配置するシステムが考えられる（例えば、特許文献１参照）。このシステムによると、建物の外であっても、情報を紙媒体で入手できるので、入手した情報に対してメモ等を容易に残すことができる。
【先行技術文献】
【特許文献】
【０００５】
【特許文献１】特開２０００−０１０８７６号公報
【発明の概要】
【発明が解決しようとする課題】
【０００６】
しかし、特許文献１に記載のシステムでは、Ａ新聞〜Ｅ新聞としてのコンテンツを選択的にダウンロードすること、新聞の政治欄、経済欄、スポーツ欄等を選択できるようにすることが開示されているが、ユーザは、記事の中味を具体的に特定できないため、不要な記事も印刷してしまう可能性がある。それでは、紙が嵩張ることから、利便性を損なうし、資源の無駄な消費にも繋がってしまうため、好ましくない。
【０００７】
本発明は、建物の外であっても、ユーザが実際に所望する最新の情報だけを紙媒体で販売することの可能な情報販売装置、システム、方法及びプログラムを提供することを目的とする。
【課題を解決するための手段】
【０００８】
本発明では、以下のような解決手段を提供する。
【０００９】
（１）  サーバからネットワークを介して取得した情報を販売する情報販売装置であって、該情報販売装置が設置されている地域が予め記憶された地域記憶手段と、前記サーバから、記事に関する複数の記事情報をその記事の見出しとともに受信する記事情報受信手段と、前記記事情報受信手段が受信した記事情報を記憶する記事情報記憶手段と、複数のデジタル掲示板により構成され、それぞれのデジタル掲示板において、前記記事情報受信手段が受信した複数の記事情報の見出しのうち、前記地域記憶手段に記憶された地域に関連した記事情報の見出しを表示する見出し表示手段と、前記複数のデジタル掲示板のそれぞれに設けられ、前記複数の記事情報の中から記事情報の選択を受け付ける記事情報選択手段と、前記記事情報選択手段が選択を受け付けた記事情報に対する対価の投入を受け付ける対価受付手段と、前記対価受付手段が前記対価の投入を受け付けた場合に、前記記事情報選択手段が受け付けた記事情報を紙に印刷する印刷手段とを備える情報販売装置。
【００１０】
（１）に記載の発明によれば、地域記憶手段には、情報販売装置が設置されている地域が予め記憶され、見出し表示手段を構成する複数のデジタル掲示板には、サーバから受信した複数の記事情報の見出しのうち、予め地域記憶手段に記憶された地域に関連した記事情報の見出しを表示する。そして、記事情報選択手段は、複数の記事情報の中から記事情報の選択を受け付け、対価受付手段は、記事情報選択手段が選択を受け付けた記事情報に対する対価の投入を受け付け、印刷手段は、対価受付手段が対価の投入を受け付けた場合に、記事情報選択手段が受け付けた記事情報を紙に印刷する。
これにより、建物の外であっても、複数の表示部に表示された見出しの中から、実際に閲覧したい見出しに関する記事情報だけを紙媒体で販売できるので、紙の嵩張り、資源の消費をともに抑えることの可能な情報販売装置を提供できる。しかも、地域記憶手段には、情報販売装置が設置されている地域を予め記憶し、記事情報を、予め地域記憶手段に記憶した地域に関連した情報に絞っている。そのため、見出し表示手段を構成するデジタル掲示板の数に制限があっても、ユーザが所望する情報をできるだけ多く提供することの可能な情報販売装置を提供できる。
【００１１】
（２）  （１）に記載の情報販売装置であって、前記サーバから、広告に関する広告情報を受信する広告情報受信手段と、前記広告情報受信手段が受信した広告情報を記憶する広告情報記憶手段とを備え、前記印刷手段は、前記記事情報選択手段が受け付けた記事情報とともに、前記地域記憶手段に記憶された地域に関連した広告情報を紙に印刷する情報販売装置。
【００１２】
（２）に記載の発明によれば、建物の外であっても、予め地域記憶手段に記憶した地域に関連した広告情報だけを紙媒体にすることができるので、記事に広告を付けつつも、紙の嵩張り、資源の消費をともに抑えることの可能な情報販売装置を提供できる。
【００１３】
（３）  情報を配信するサーバと、このサーバから配信される情報を販売する情報販売装置とを備えるシステムであって、前記サーバは、記事に関する複数の記事情報をその記事の見出しとともに配信する記事情報配信手段を備え、前記情報販売装置は、該情報販売装置が設置されている地域が予め記憶された地域記憶手段と、前記記事情報配信手段から配信された複数の記事情報を前記見出しとともに受信する記事情報受信手段と、前記記事情報受信手段が受信した記事情報を記憶する記事情報記憶手段と、複数のデジタル掲示板により構成され、それぞれのデジタル掲示板において、前記記事情報受信手段が受信した複数の記事情報の見出しのうち、前記地域記憶手段に記憶された地域に関連した記事情報の見出しを表示する見出し表示手段と、前記複数のデジタル掲示板のそれぞれに設けられ、前記複数の記事情報の中から記事情報の選択を受け付ける記事情報選択手段と、前記記事情報選択手段が選択を受け付けた記事情報に対する対価の投入を受け付ける対価受付手段と、前記対価受付手段が前記対価の投入を受け付けた場合に、前記記事情報選択手段が受け付けた記事情報を紙に印刷する印刷手段とを備えるシステム。
【００１４】
（４）  サーバから配信される情報を情報販売装置が販売する方法であって、前記情報販売装置は、該情報販売装置が設置されている地域を予め記憶する地域記憶工程と、前記サーバから、記事に関する複数の記事情報をその記事の見出しとともに受信する記事情報受信工程と、前記記事情報受信工程で受信した記事情報を記憶する記事情報記憶工程と、複数のデジタル掲示板において、前記記事情報受信工程で受信した複数の記事情報の見出しのうち、前記地域記憶工程で記憶した地域に関連した記事情報の見出しを表示する見出し表示工程と、前記複数の記事情報の中から記事情報の選択を受け付ける記事情報選択工程と、前記記事情報選択工程で選択を受け付けた記事情報に対する対価の投入を受け付ける対価受付工程と、前記対価受付工程で前記対価の投入を受け付けた場合に、前記記事情報選択工程で受け付けた記事情報を紙に印刷する印刷工程とを備える方法。
【００１５】
（５）  サーバから配信される情報を販売する処理を情報販売装置に実行させるためのプログラムであって、前記情報販売装置が設置されている地域を予め記憶する地域記憶工程と、前記サーバから、記事に関する複数の記事情報をその記事の見出しとともに受信する記事情報受信工程と、前記記事情報受信工程で受信した記事情報を記憶する記事情報記憶工程と、複数のデジタル掲示板において、前記記事情報受信工程で受信した複数の記事情報の見出しのうち、前記地域記憶工程で記憶した地域に関連した記事情報の見出しを表示する見出し表示工程と、前記複数の記事情報の中から記事情報の選択を受け付ける記事情報選択工程と、前記記事情報選択工程で選択を受け付けた記事情報に対する対価の投入を受け付ける対価受付工程と、前記対価受付工程で前記対価の投入を受け付けた場合に、前記記事情報選択工程で受け付けた記事情報を紙に印刷する印刷工程とを前記情報販売装置に実行させるためのプログラム。
【００１６】
（３）に記載のシステムによれば、当該システムに係る発明を実施することにより、（１）と同様の効果が期待できる。（４）に記載の方法によれば、当該方法に係る発明を実施することにより、（１）と同様の効果が期待できる。また、（５）記載のプログラムによれば、当該プログラムに係る発明を実施することにより、（１）と同様の効果が期待できる。
【発明の効果】
【００１７】
本発明によれば、建物の外であっても、ユーザが実際に所望する最新の情報だけを紙媒体で販売することの可能な情報販売装置、システム、方法及びプログラムを提供できる。
【図面の簡単な説明】
【００１８】
【図１】本実施形態に係るシステム１を説明するための全体構成を示す図である。
【図２】本実施形態に係るシステム１の機能構成を示す図である。
【図３】本実施形態に係る記事情報データベース５１、地域データベース５２及び広告情報データベース５３を示す図である。
【図４】本実施形態に係る情報販売装置４による見出し表示処理のフローチャートである。
【図５】本実施形態に係る情報販売装置４による記事情報印刷処理のフローチャートである。
【図６】本実施形態に係るシステム１、情報販売装置４、方法及びプログラムを実施したときの一例を示す図である。
【図７】図６に続く図である。
【図８】図７に続く図である。
【発明を実施するための形態】
【００１９】
以下、本発明の実施形態について図を参照しながら説明する。
【００２０】
［全体構成］
図１は、本実施形態に係るシステム１及び情報販売装置４を説明するための全体構成を示す図である。システム１は、複数の記事情報を配信する記事情報配信サーバ２と、複数の広告情報を配信する広告情報配信サーバ３と、これら記事情報配信サーバ２及び広告情報配信サーバ３とネットワークを介して接続され、記事情報配信サーバ２から配信された記事情報を販売する情報販売装置４とを備える。
【００２１】
ここでは、情報販売装置４の概略構成について説明する。情報販売装置４の正面上方には、記事情報の見出しを表示するデジタル掲示板１１が設けられ、このデジタル掲示板１１の右方には、デジタル掲示板１１で表示された記事情報を選択する記事情報選択ボタン１２が設けられている。
【００２２】
デジタル掲示板１１は、複数設けられ、本実施形態では、上段のデジタル掲示板１１ａと、中段のデジタル掲示板１１ｂと、下段のデジタル掲示板１１ｃとにより構成されている。デジタル掲示板１１ａ，１１ｂ，１１ｃは、例えば、電光掲示板、デジタルサイネージ等によるものであり、記事情報の見出しをそれぞれ個別にスクロール表示したり、一定時間毎（例えば、３０秒毎）に変更表示したりしている。本実施形態では、デジタル掲示板の数が３つであるものとして説明するが、複数であればいくつであってもよい。
【００２３】
記事情報選択ボタン１２は、デジタル掲示板１１に対応して設けられており、上段のデジタル掲示板１１ａに対応して上段の記事情報選択ボタン１２ａが、中段のデジタル掲示板１１ｂに対応して中段の記事情報選択ボタン１２ｂが、下段のデジタル掲示板１１ｃに対応して下段の記事情報選択ボタン１２ｃが設けられている。記事情報選択ボタン１２ａ，１２ｂ，１２ｃは、ユーザが希望する記事情報を選択するためのものであり、例えば、上段のデジタル掲示板１１ａで表示する記事情報を希望する場合、ユーザは、上段の記事情報選択ボタン１２ａを操作すればよく、中段のデジタル掲示板１１ｂで表示する記事情報を希望する場合、ユーザは、中段の記事情報選択ボタン１２ｂを操作すればよい。また、下段のデジタル掲示板１１ｃで表示する記事情報を希望する場合、ユーザは、下段の記事情報選択ボタン１２ｃを操作すればよい。なお、一度に複数の記事情報を選択することも可能であり、例えば、上段のデジタル掲示板１１ａで表示する記事情報と、中段のデジタル掲示板１１ｂで表示する記事情報との両方を希望する場合、ユーザは、上段の記事情報選択ボタン１２ａと、中段の記事情報選択ボタン１２ｂとの両方を操作すればよい。
【００２４】
情報販売装置４の略中央には、記事情報選択ボタン１２ａ，１２ｂ，１２ｃが操作されたことに応じて、その記事の対価等を表示する対価等表示板１３が設けられ、この対価等表示板１３の右方には、対価等表示板１３で表示された対価を投入する対価投入口１４が設けられている。対価投入口１４から硬貨又は紙幣が投入されると、その投入金額は、対価等表示板１３に表示される。本実施形態では、対価等表示板１３は、液晶表示装置であるものとして説明するが、対価及び投入金額を電光表示できるものであれば、どのような態様であってもよい。
【００２５】
対価等表示板１３の左方には、記事情報選択ボタン１２を用いて選択した記事情報の紙への印刷を開始するための印刷開始ボタン１５が設けられ、この印刷開始ボタン１５の下方には、記事情報が印刷された紙を取り出す印刷物取出口１６が設けられている。ユーザが印刷開始ボタン１５を操作すると、情報販売装置４は、対価等表示板１３で表示された対価を対価投入口１４に投入したことを条件に、記事情報選択ボタン１２を用いて選択した記事情報に、広告情報配信サーバ３から配信された広告情報を付して紙への印刷を開始する。ここで印刷された紙は、情報販売装置４の内部から印刷物取出口１６を通じて外部に出される。
【００２６】
［機能構成］
図２は、本実施形態に係るシステム１及び情報販売装置４の機能構成を示す図である。
【００２７】
まず、記事情報配信サーバ２の構成について説明する。記事情報配信サーバ２は、記事に関する複数の記事情報をその記事の見出しとともに配信する記事情報配信部２１を備える。この記事情報配信部２１は、記事情報配信手段として機能する。
【００２８】
次に、広告情報配信サーバ３の構成について説明する。広告情報配信サーバ３は、広告に関する複数の広告情報を配信する広告情報配信部３１を備える。この広告情報配信部３１は、広告情報配信手段として機能する。
【００２９】
続いて、情報販売装置４の構成について説明する。情報販売装置４は、制御部４０と、記憶部５０とを備える。制御部４０は、情報販売装置４に係る各機能を統括的に制御する部分であり、記事情報配信部２１から配信された複数の記事情報をその記事の見出しとともに受信する記事情報受信部４１を備える。この記事情報受信部４１は、記事情報受信手段として機能する。
【００３０】
また、制御部４０は、記事情報受信部４１が受信した記事情報を記憶部５０に記憶させる記事情報記憶部４２を備え、記憶部５０は、記事情報記憶部４２によって指令された記事情報が記憶される記事情報データベース５１を備える。これら記事情報記憶部４２及び記事情報データベース５１は、記事情報記憶手段として機能する。
【００３１】
記事情報データベース５１は、図３の（ａ）に例示される。記事情報データベース５１は、記事情報を便宜的に識別するための「記事番号」フィールドと、記事情報にまつわる地域を識別するための「地域」フィールドと、記事情報受信部４１が記事情報を受信した時刻を示す「受信時刻」フィールドと、記事情報受信部４１が記事情報を受信した時刻を示す「受信時刻」フィールドと、記事情報のユーザへの提供を終了する時刻を示す「提供終了時刻」フィールドと、記事情報の見出しを示す「見出し」フィールドと、記事情報の内容を示す「内容」フィールドとを有する。
【００３２】
図２に戻り、記憶部５０は、情報販売装置４が設置されている地域が予め記憶された地域データベース５２を備える。この地域データベース５２は、地域記憶手段として機能する。
【００３３】
地域データベース５２は、図３の（ｂ）に例示される。地域データベース５２は、情報販売装置４が設置されている場所を示す「設置場所」フィールドを備える。本実施形態では、情報販売装置４が東北本線の仙台駅のホームに設置されていることを例に説明する。仙台駅は、宮城県仙台市○○区△△・・・に位置するので、「設置場所」フィールドには、「宮城県仙台市○○区△△・・・」と記憶される。
【００３４】
図２に戻り、制御部４０は、デジタル掲示板１１において、記事情報受信部４１が受信した複数の記事情報の見出しのうち、地域データベース５２に記憶された地域に関連した記事情報の見出しを表示する見出し表示部４３を備える。この見出し表示部４３は、見出し表示手段として機能する。
【００３５】
また、制御部４０は、それぞれのデジタル掲示板１１ａ，１１ｂ，１１ｃにおいて、記事情報受信部４１が受信した複数の記事情報の見出しのうち、地域データベース５２に記憶された地域に関連した記事情報の見出しを表示する見出し表示部４３を備える。この見出し表示部４３は、見出し表示手段として機能する。
【００３６】
また、制御部４０は、複数のデジタル掲示板１１ａ，１１ｂ，１１ｃのそれぞれに設けられた記事情報選択ボタン１２ａ，１２ｂ，１２ｃの操作を受け付けることにより、複数の記事情報の中から記事情報の選択を受け付ける記事情報選択部４４を備える。この記事情報選択部４４は、記事情報選択手段として機能する。
【００３７】
また、制御部４０は、記事情報選択部４４が記事情報の選択を受け付けたことに応じて、その記事情報の対価を対価等表示板１３に表示し、この対価等表示板１３に表示された対価の対価投入口１４への投入を受け付けることにより、記事情報選択部４４が選択を受け付けた記事情報に対する対価の投入を受け付ける対価受付部４５を備える。この対価受付部４５は、対価受付手段として機能する。
【００３８】
また、制御部４０は、対価受付部４５が対価の投入を受け付けた結果、対価等表示板１３において投入金額として表示される金額が対価として表示される金額以上になった場合に、記事情報選択部４４が受け付けた記事情報を紙に印刷し、印刷した紙を印刷物取出口１６から外部に出す印刷部４６を備える。この印刷部４６は、印刷手段として機能する。
【００３９】
ここで、制御部４０は、広告情報配信サーバ３から、広告に関する広告情報を受信する広告情報受信部４７と、この広告情報受信部４７が受信した広告情報を記憶部５０に記憶させる広告情報記憶部４８とをさらに備え、記憶部５０は、広告情報記憶部４８によって指令された広告情報が記憶される広告情報データベース５３をさらに備える。そして、印刷部４６は、記事情報選択部４４が選択を受け付けた記事情報を紙に印刷する際、地域データベース５２に記憶された地域に関連した広告情報も併せて印刷する。なお、広告情報受信部４７は、広告情報受信手段として機能し、広告情報記憶部４８及び広告情報データベース５３は、広告情報記憶手段として機能する。
【００４０】
広告情報データベース５３は、図３の（ｃ）に例示される。広告情報データベース５３は、記事情報を便宜的に識別するための「広告番号」フィールドと、広告情報が対象とする地域を識別するための「対象地域」フィールドと、広告情報の提供を開始する日を示す「提供開始日」フィールドと、その提供を終了する日を示す「提供終了日」フィールドと、広告情報の内容を示す「内容」フィールドとを有する。
【００４１】
［本実施形態のハードウェア及びソフトウェアの構成］
本実施形態のハードウェア及びソフトウェアの構成について説明する。記事情報配信サーバ２、広告情報配信サーバ３及び情報販売装置４のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００４２】
記事情報配信サーバ２、広告情報配信サーバ３及び情報販売装置４のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００４３】
［フローチャート］
図４及び図５は、本実施形態に係る情報販売装置４のフローチャートである。
【００４４】
まず、図４について説明する。図４は、情報販売装置４による見出し表示処理のフローチャートである。
【００４５】
ステップＳ１では、制御部４０は、地域記憶処理を実行する。この処理では、制御部４０は、地域データベース５２に、情報販売装置４が設置されている地域を予め記憶する処理を行う。
【００４６】
ステップＳ２では、制御部４０は、記事情報受信部４１が記事情報を受信するか否かを判別する。この判別がＹＥＳのとき、制御部４０は、処理をステップＳ３に移し、ＮＯのとき、制御部４０は、処理をステップＳ４に移す。ステップＳ３では、記事情報受信部４１は、記事情報配信サーバ２の記事情報配信部２１から配信された複数の記事情報をその記事の見出しとともに受信するとともに、記事情報記憶部４２は、記事情報受信部４１が受信した記事情報を記事情報データベース５１に記憶させる。
【００４７】
ステップＳ４では、制御部４０は、広告情報受信部４７が広告情報を受信するか否かを判別する。この判別がＹＥＳのとき、制御部４０は、処理をステップＳ５に移し、ＮＯのとき、制御部４０は、処理をステップＳ６に移す。ステップＳ５では、広告情報受信部４７は、広告情報配信サーバ３の広告情報配信部３１から配信された複数の広告情報を受信するとともに、広告情報記憶部４８は、広告情報受信部４７が受信した広告情報を広告情報データベース５３に記憶させる。
【００４８】
ステップＳ６では、見出し表示部４３は、デジタル掲示板１１において、記事情報受信部４１が受信した複数の記事情報の見出しのうち、地域データベース５２に記憶された地域に関連した記事情報の見出しを表示する。この処理を終えると、制御部４０は、見出し表示処理に関する一連の処理を終了する。
【００４９】
次に、図５について説明する。図５は、情報販売装置４による記事情報印刷処理のフローチャートである。
【００５０】
ステップＳ１１では、記事情報選択部４４は、記事情報選択ボタン１２が操作されることにより、複数の記事情報の中から記事情報が選択されたか否かを判別する。この判別がＹＥＳのとき、制御部４０は、処理をステップＳ１２に移し、ＮＯのとき、制御部４０は、記事情報印刷処理に関する一連の処理を終了する。
【００５１】
ステップＳ１２では、制御部４０は、記事情報の対価が対価投入口１４を通じて投入されたか否かを判別する。この判別は、対価受付部４５が対価の投入を受け付けた結果、対価等表示板１３において、投入金額として表示される金額が対価として表示される金額以上になったか否かによって判別する。この判別がＹＥＳのとき、制御部４０は、処理をステップＳ１３に移し、ＮＯのとき、制御部４０は、記事情報印刷処理に関する一連の処理を終了する。
【００５２】
ステップＳ１３では、印刷部４６は、印刷開始ボタン１５が操作されたことに応じて、記事情報選択部４４が受け付けた記事情報を、地域データベース５２に記憶された地域に関連した広告情報とともに印刷する。この処理を終えると、制御部４０は、記事情報印刷処理に関する一連の処理を終了する。
【００５３】
［本実施形態に係るシステム１の実施例］
図６〜図８は、本実施形態に係るシステム１、情報販売装置４、方法及びプログラムを実施したときの一例を示す図である。ここでは、情報販売装置４は、東北本線の仙台駅のホームに設置されているものとして説明する。
【００５４】
デジタル掲示板１１には、記事情報受信部４１が受信した複数の記事情報の見出しのうち、地域データベース５２に記憶された地域に関連した記事情報の見出しが表示される。記事情報データベース５１は、さまざまな地域に関する複数の記事情報がその見出しとともに記憶されているが、デジタル掲示板１１には、地域データベース５２に記憶された地域に関連した記事情報の見出しだけが表示される。図３の（ａ）及び（ｂ）を例にすると、記事情報データベース５１は、宮城県仙台市に関連した記事情報のほか、東京都２３区に関連した記事情報や、青森県全域に関連した記事情報も記憶されているが、デジタル掲示板１１には、地域データベース５２に記憶された地域、すなわち宮城県仙台市に関連した記事情報の見出しだけが表示される。
【００５５】
図６は、そのときの情報販売装置４の一例を示す。上段のデジタル掲示板１１ａには、「七夕祭り開幕  来場者１００万人・・・」とスクロール表示され、中段のデジタル掲示板１１ｂには、「夏の甲子園宮城県代表・・・」とスクロール表示されている。また、下段のデジタル掲示板１１ｃには、「宮城版今日のテレビ・・・」とスクロール表示されている。ユーザ６０は、これらデジタル掲示板１１ａ，１１ｂ，１１ｃの表示を見て、その結果、中段のデジタル掲示板１１ｂに対応する中段の記事情報選択ボタン１２ｃを操作している。ユーザ６０が中段の記事情報選択ボタン１２ｃを操作した結果、対価等表示板１３には、「購入金額  １００円」と表示されている。
【００５６】
図７は、その後、対価投入口１４に１００円を投入し、印刷開始ボタン１５を操作したときの一例を示す。印刷物取出口１６からは、記事情報選択部４４が受け付けた記事情報が地域データベース５２に記憶された地域（本実施形態では、宮城県仙台市）に関連した広告情報とともに印刷された紙６１が出され、ユーザ６０は、その紙６１を印刷物取出口１６から取り出している。
【００５７】
図８は、ユーザ６０が、印刷物取出口１６から出された紙６１を駅のベンチで読む様子を示す。紙６１には、「夏の甲子園  宮城県代表出発」という見出しが記載され、この見出しの下方には、宮城県代表に関する記事が掲載されている。そして、この記事の下方には、情報販売装置４が設置された地域にちなんだ広告が掲載されている。
【００５８】
本実施例によると、地域データベース５２には、情報販売装置４が設置されている地域が予め記憶され、複数のデジタル掲示板１１ａ，１１ｂ，１１ｃには、記事情報配信サーバ２から配信された複数の記事情報の見出しのうち、予め地域データベース５２に記憶された地域に関連した記事情報の見出しのみを表示する。そして、記事情報選択部４４は、複数の記事情報の中から記事情報の選択を受け付け、対価受付部４５は、記事情報選択部４４が選択を受け付けた記事情報に対する対価の投入を受け付け、印刷部４６は、対価受付部４５が対価の投入を受け付けた場合に、記事情報選択部４４が受け付けた記事情報を紙に印刷する。
【００５９】
これにより、建物の外であっても、複数のデジタル掲示板１１ａ，１１ｂ，１１ｃに表示された見出しの中から、実際に閲覧したい見出しに関する記事情報だけを紙媒体で販売できるので、紙の嵩張り、資源の消費をともに抑えることの可能な情報販売装置４を提供できる。しかも、地域データベース５２には、情報販売装置４が設置されている地域が予め記憶され、記事情報を、予め地域データベース５２に記憶された地域に関連した情報に絞っている。そのため、デジタル掲示板１１の数に制限があっても、ユーザが希望する情報をできるだけ多く提供することの可能な情報販売装置４を提供できる。
【００６０】
また、本実施例によると、広告情報受信部４７は、広告情報配信サーバ３から広告情報を受信し、印刷部４６は、記事情報選択部４４が受け付けた記事情報とともに、地域データベース５２に記憶された地域に関連した広告情報を紙に印刷する。
【００６１】
これにより、建物の外であっても、予め地域データベース５２に記憶した地域に関連した広告情報だけを紙媒体にすることができるので、記事に広告を付けつつも、紙の嵩張り、資源の消費をともに抑えることの可能な情報販売装置４を提供できる。
【００６２】
なお、本実施形態に記載された効果は、本発明から生じる最も好適な効果を列挙したに過ぎず、本発明による効果は、本実施形態に記載されたものに限定されるものではない。
【００６３】
本実施形態では、見出し表示部４３は、地域データベース５２に記憶した地域にちなんだ記事情報のみをデジタル掲示板１１に表示するようにしているが、これに限られるものではない。例えば、見出し表示部４３は、地域データベース５２に記憶した地域にちなんだ記事情報と、それとは異なる記事情報との両方をデジタル掲示板１１に表示するようにしてもよい。具体的には、見出し表示部４３は、上段のデジタル掲示板１１ａ及び中段のデジタル掲示板１１ｂに、地域データベース５２に記憶した地域にちなんだ記事情報を表示し、下段のデジタル掲示板１１ｃに、それとは異なる記事情報を表示することが考えられる。
【００６４】
また、例えば、記事情報選択部４４に「次へ」ボタンを設け、本実施形態のようにデジタル掲示板１１の数が３つである場合、「次へ」ボタンが操作されたときには、デジタル掲示板１１に４件目〜６件目の記事を表示し、さらに「次へ」ボタンが操作されたときには、デジタル掲示板１１に７件目〜９件目の記事を表示するようにしてもよい。そして、「次へ」ボタンに加え、「戻る」ボタンを設けてもよく、デジタル掲示板１１に７件目〜９件目の記事を表示されているときに「戻る」ボタンが操作されたときには、デジタル掲示板１１に４件目〜６件目の記事を表示するようにしてもよい。
【００６５】
また、本実施形態では、印刷部４６は、広告情報として、地域データベース５２に記憶された地域に関連したものを印刷しているが、これに限られるものではない。例えば、印刷部４６は、広告情報として、記事情報選択部４４が受け付けた記事情報に関連するものを印刷してもよい。
【符号の説明】
【００６６】
１  システム
２  記事情報配信サーバ
４  情報販売装置
１１  デジタル掲示板
１２  記事情報選択ボタン
１４  対価投入口
１５  印刷開始ボタン
４０  情報販売装置の制御部
４１  記事情報受信部
４２  記事情報記憶部
４３  見出し表示部
４４  記事情報選択部
４５  対価受付部
４６  印刷部
５０  情報販売装置の記憶部
５１  記事情報データベース
５２  地域データベース
【図１】
2011209790.tif 000003
【図２】
2011209790.tif 000004
【図３】
2011209790.tif 000005
【図４】
2011209790.tif 000006
【図５】
2011209790.tif 000007
【図６】
2011209790.tif 000008
【図７】
2011209790.tif 000009
【図８】
2011209790.tif 000010